(57)【特許請求の範囲】
【請求項１】
ベース部と、該ベース部の両端においてベース部と屈曲して一体成形されたフランジと、前記ベース部の幅方向中央位置に、前記両端のフランジと平行をなして一体成形され、その表面に部材長手方向に沿って水膨潤性止水棒材が設けられるとともに、複数本の突起が延在するように形成された止水フランジとから構成された止水部材であって、
前記ベース部の片面がコンクリート構造物の表面に露出し、前記フランジと前記止水フランジとがコンクリート内に位置するようにコンクリート構造物内に延在するように埋設され、前記ベース部のコンクリート表面に露出した面に、被覆対象物の表面を覆うように敷設された遮水シートの定着部を覆うカバーシートの一端が固着されるようにしたことを特徴とする止水部材。
【請求項２】
オレフィン系熱可塑性樹脂エラストマーゴム成形品であることを特徴とする請求項１に記載の止水部材。
【請求項３】
遮水シート端部が、定着位置のコンクリート表面のアンカーボルト列にフラットバーを介して固定され、該アンカーボルト列は、アンカーボルト列に平行して前記コンクリート構造物内に埋設された請求項１記載の止水部材のベース部に一端が固着され、他端が前記遮水シート面に固着されたカバーシートで被覆されたことを特徴とする遮水シート定着部止水構造。
【請求項４】
前記遮水シートと止水部材とカバーシートとは、オレフィン系熱可塑性樹脂エラストマーゴム成形品であることを特徴とする請求項３に記載の止水構造。
【発明の詳細な説明】
【０００１】
【発明の属する技術分野】
本発明は止水部材及び遮水シート定着部止水構造に係り、廃棄物最終処分場等に敷設された遮水シートと処分場内に構築された構造物との取り合い部での遮水シート定着部に用いられる止水部材と、この止水部材により高い水密性を得るようにした遮水シート定着部止水構造に関する。
【０００２】
【従来の技術および発明が解決しようとする課題】
一般廃棄物の最終処分場では、遮水工として敷設された遮水シート上に溜まる浸出水を集水して場内に設けられた浸出水調整施設に導水する浸出水制御が一般に行われている。たとえば浸出水制御のために、処分場内には取水ピット等の構造物が構築される。この取水ピット等の構造物との取り合い部では遮水シートが途切れるため、遮水シートの端部が構造物のコンクリートの一部に定着される。したがって、このシート定着部から浸出水が漏水しないように、十分な水密性が確実に保持されることが必要である。
【０００３】
図６は、構造物と遮水シートとの取り合い部における遮水シート定着部止水構造の一例を示した部分断面図である。同図に示したように、この遮水シート定着部５０では、ゴム系パッキン５１を介在させたステンレス鋼製フラットバー５２（平鋼）で遮水シート５３の端部を押さえ、あらかじめコンクリートＣ面に列設されているホールインアンカー５４にフラットバー５２を固定保持して止水構造としている。このときフラットバー５２とシート５３との間に非加硫ブチルゴム製のテープ５５を介在させてゴム系パッキンとシートとの間の接着性を高め、止水性（水密性）が高められている。
【０００４】
この種のアンカーボルトを用いた遮水シート定着部止水構造は、今までに多くの実績を持つが、コンクリート表面にあと施工のアンカーボルトを施工するため、コンクリート面の仕上げ精度やアンカーボルトの施工精度にバラツキがでやすい。このため、水深１０m以上の大きな水圧がかかるような位置の遮水シート定着部では、その水密性が十分確保できないおそれがある。また、ボルトやフラットバー等の金属部品が露出した構造となっているため、常時水没する箇所においては長期間の使用において電蝕による部材劣化のおそれがある。
【０００５】
これらの問題を考慮して構造物のコンクリート内に埋設して使用する樹脂製の止水部材も開発されている。図７はこの種の埋設タイプの止水部材６０の形状を示した斜視図、図８はこの止水部材６０を用いた遮水シート定着部の構造例を示した断面図である。この止水部材６０は、図７に示したように、略コ字形の溝形（チャンネル）形状断面をなした、高密度ポリエチレン樹脂の長尺成形部品である。止水構造の用途により、種々の断面寸法での成形が可能であるが、たとえば一般用途の止水部材としては、溝深さに相当するフランジ６１高さが４０mm、ベース６２幅が８０mm程度のものが用いられている。基本形状は溝形であるが、図示したように、埋設時の引き抜き抵抗を高めるためにフランジ先端６３が爪状に折り曲げ加工されている。
【０００６】
この止水部材６０を遮水シート定着部に用いるには、図８に示したように、まず溝開口が下側を向き、ベース６２が打設されるコンクリートＣ面と面一をなし、シート６４の端部６４ａに沿って延在するようにコンクリートＣ内に埋設する。そしてこのベース６２の中央位置に沿って遮水シート端部６４ａを重ねるように配置し、遮水シート端部６４ａと止水部材６０のベース６２との重なり部分を、高密度ポリエチレン樹脂による押出接合によって肉盛樹脂６５を形成して固定し、シート端部６４ａと止水部材６０とを一体化させる。
【０００７】
ところで、近年、従来の高密度ポリエチレン樹脂に代わって、新しいタイプの遮水シートとしてオレフィン系熱可塑性樹脂エラストマーゴムベースのフレキシブルポリマーアロイ遮水シート（以下、ＦＰＡ遮水シートと記す。）が使用されるようになってきた。このため、ＦＰＡ遮水シートを、異種樹脂の高密度ポリエチレン樹脂の止水部材に定着させる必要も生じてきた。この場合も止水部材にシート端部を接合するのに押出接合が用いられるが、この場合には図８に示したように、まず高密度ポリエチレン樹脂の肉盛樹脂６５でＦＰＡ遮水シートの端部６４ａを押さえ、さらにＦＰＡによる押出接合を行い、ＦＰＡの肉盛樹脂６６で高密度ポリエチレン樹脂の肉盛樹脂６５を覆うようにしてシートを接合しなければならず、シート接合作業の手間が倍増する。また、遮水シートを２重シート構造とする場合、肉盛樹脂の幅が大きくなるため、コンクリート内に図７に示した形状の止水部材を複数列平行に埋設しなければならないこともある。
【０００８】
また、図８のようにコンクリートに埋設して使用する止水部材ではコンクリートの乾燥収縮等により止水部材との隙間が生じ、この隙間に沿って浸出水が止水部材裏面まで浸透してしまうおそれもある。このように、埋設された止水部材とコンクリートとの間に隙間が生じた場合でも、浸出水の浸透を確実に遮断できることが求められている。
【０００９】
そこで、本発明の目的は上述した従来の技術が有する問題点を解消し、遮水シートの定着部と構造物との取り合い部において浸出水を確実に止水するための耐久性に富む止水部材及び遮水シート定着部止水構造を提供することにある。
【００１０】
【課題を解決するための手段】
上記目的を達成するために、本発明はベース部と、該ベース部の両端においてベース部と屈曲して一体成形されたフランジと、前記ベース部の幅方向中央位置に、前記両端のフランジと平行をなして一体成形され、その表面に部材長手方向に沿って水膨潤性止水棒材が設けられるとともに、複数本の突起が延在するように形成された止水フランジとから構成された止水部材であって、前記ベース部の片面がコンクリート構造物の表面に露出し、前記フランジと前記止水フランジとがコンクリート内に位置するようにコンクリート構造物内に延在するように埋設され、前記ベース部のコンクリート表面に露出した面に、被覆対象物の表面を覆うように敷設された遮水シートの定着部を覆うカバーシートの一端が固着されるようにしたことを特徴とする。
【００１１】
オレフィン系熱可塑性樹脂エラストマーゴム成形品で前記止水部材を構成することが耐久性等の面から好ましい。
【００１３】
この止水部材を用いた遮水シート定着部の構成として、本発明は遮水シート端部が、定着位置のコンクリート表面のアンカーボルト列にフラットバーを介して固定され、該アンカーボルト列は、アンカーボルト列に平行して前記コンクリート構造物内に埋設された請求項１記載の止水部材のベース部に一端が固着され、他端が前記遮水シート面に固着されたカバーシートで被覆されたことを特徴とする。
【００１４】
このとき前記遮水シートと止水部材とカバーシートとは、オレフィン系熱可塑性樹脂エラストマーゴム成形品とすることが好ましい。
【００１５】
【発明の実施の形態】
以下、本発明の止水部材及び遮水シート定着部止水構造の一実施の形態について、添付図面を参照して説明する。
図１は、本発明の止水部材１０の端面形状を示した斜視図である。また同図には、水膨潤性止水棒材２０が止水部材１０と併せて示してある。本実施の形態では、この水膨潤性止水棒材２０は止水部材１０の止水フランジ１５の一部に接着され、止水部材１０の止水性を高めるために併用されている。
【００１６】
［止水部材の構成］
本発明の止水部材１０の構成について説明する。止水部材１０は、図に示したように、ベース１１と、ベース１１の両側のフランジ１２とが一体となった従来と同形の溝形断面部に加え、止水フランジ１５がベース１１の下面中央位置に一体的に形成された形状からなる。止水フランジ１５は止水部材１０の表面を伝わるおそれのある浸出水の経路を延長する役目を果たしている。またフランジ表面には、複数本の三角形状断面の突起１３が部材の長手方向に平行して延在するように形成されている。これら複数本の突起１３は打設されたコンクリートＣ（図２）の収縮によって生じるおそれのある隙間（図示せず）に対してパッキン作用を果たしている。さらに止水フランジ１５の底部には止水棒材２０を取り付け可能なスペース１４が設けられている。このスペース１４表面位置に止水棒材２０を接着して止水部材１０と一体化させ、コンクリート打設が行われる。
【００１７】
本実施の形態では止水部材１０の断面の寸法形状としてベース１１の幅と止水フランジ１５高さとの比（縦横比）を等しくし、ともに寸法１００mmとしたが、ベース１１に溶着される押出接合の肉盛樹脂幅を大きくする必要がある場合にはベース幅を大きくすることが好ましい。その際、ベース幅のみを大きくしても、縦横比を一定にして止水部材１０全体を大きくても良い。本実施の形態では止水部材１０の基本厚さを５mmとしたが、全体寸法を大きくした場合には剛性を確保するためにその厚さを増すことも好ましい。
【００１８】
本実施の形態では止水部材１０としてＦＰＡ樹脂成形品が用いられている。止水部材１０と遮水シート１とを同材質とすることにより、１回のＦＰＡ樹脂による押出接合でＦＰＡ肉盛樹脂を形成し、遮水シート端部１ａと止水部材１０のベース１１との一体化を図ることができる（図２参照）。
【００１９】
止水部材１０に取り付けられる止水棒材２０は、非膨潤性の芯材ゴム２１が配置された公知の複合膨潤材である。内部に配置された芯材ゴム２１により、止水棒材２０に偏膨潤が生じても棒材の曲がり等が最小限に押さえられる。さらに芯材ゴム２１の周囲には水膨潤スポンジ層２２が形成され、水膨潤スポンジ層２２を覆うように膨潤遅延層２３が形成されている。このように複数の膨潤性能の膨潤層２２，２３を有することで、コンクリート硬化時における初期膨潤が押さえられ、躯体への悪影響を小さくできる。そして硬化コンクリート内に埋設された止水部材１０の表面を伝わって来た浸出水を、安定した状態で遮断することができる。本実施の形態では止水部材１０の大きさに合わせて高さ２０mm、幅１０mmの断面寸法の止水棒材２０が用いられている。本実施の形態では止水フランジ１５の左右表面に一対が設けられているが、求められる水密性（止水性）の度合いにより止水棒材２０を省略しても多段にして用いてもよい。
【００２０】
図２は、コンクリートＣ内に埋設された止水部材１０のベース１１上面に、遮水シート端部１ａを押出接合して肉盛樹脂１６で固定保持した状態を示した断面図である。コンクリートを打設する際は止水部材１０の止水フランジ１５の一部を図示しない鉄筋に固定するか、型枠せき板面に仮止めしておき、打設されたコンクリートにより位置ずれしないようにすることが好ましい。また、止水部材１０、止水棒材２０の周囲に十分コンクリートが行き渡り、コンクリートとの密着が図れるようにコンクリート締め固めを行うことが好ましい。
【００２１】
［遮水シート定着部止水構造の構成］
最終処分場内に構築された取水ピットの取水孔と、その周囲のコンクリートを覆うように敷設され、取水孔回りにシート端部が定着された遮水シート定着部止水構造について図３〜図５を参照して説明する。
図３は、取水孔３（一部）および取水孔３での遮水シート定着部止水構造４０の構成を示した斜視図である。同図に示したように、取水ピット２の鉛直壁の所定深さに設けられた角形断面（例えば1000×1000mm）の取水孔にはその開口全体を覆うようにステンレス製の有孔スクリーン４が固着されている。そしてその取水孔３の開口縁３ａから所定の離れを取った位置に有孔スクリーン４を囲むように四角形をなして遮水シート定着部止水構造４０が設けられている。さらに遮水シート定着部止水構造４０と開口縁３ａとの間のコンクリート表面には防食工５が施されている。さらに遮水シート定着部止水構造４０は、遮水シート１をコンクリートＣに固定保持するアンカーボルト定着部３０と、アンカーボルト定着部３０全体をカバーシート４２で覆うカバー部４１とから構成されている。なお、本実施の形態では材質がＦＰＡの遮水シート、カバーシート及び止水部材が採用されている。この遮水シート、カバーシートおよび止水部材の材質は、このＦＰＡに限らず、柔軟性、強度、耐久性、コスト等、使用上の要求仕様に合致する材質であれば、合成樹脂シート、ゴムエラストマー、ゴムシート、各種材料の積層シート等を使用できることはいうまでもない。
【００２２】
（アンカーボルト定着部の構成）
アンカーボルト定着部３０は、図４に示したように、構造物である取水孔３との取り合い部近傍のコンクリート面に、その位置が位置決めされ、遮水シート１はその位置に端部が揃えられ固定保持される。このため、定着部位置には固定部材としての複数本のアンカーボルトが列設されたアンカーボルト列３１（図４に一点鎖線で示している）が設けられている。そしてこのアンカーボルト列３１の長手方向に配置されたフラットバー３６で遮水シート端部１ａが押さえられ、フラットバー３６をアンカーボルト列３１の各ボルト、ナットによって固定保持するようになっている。このアンカーボルト定着部３０は遮水シート１と同材質のカバーシート４２で被覆され、遮水シート定着部止水構造４０となる。
【００２３】
アンカーボルト定着部３０の詳細構成について説明する。アンカーボルト列３１位置を一端として所定幅（たとえば２００mm）の非加硫ブチルゴムテープ３３がコンクリート表面に接着されている。この非加硫ブチルゴムテープ３３によりコンクリート表面の不陸がある程度吸収されている。なお、本実施の形態ではアンカーボルト定着部３０の幅Ｗは５０mmに設定されており、この定着部の幅方向中心位置にあるアンカーボルト列３１に位置合わせされて定着部幅Ｗと等幅に加工された各部材が積層されるようになっている。
【００２４】
アンカーボルト定着部３０において、遮水シート端部１ａは非加硫ブチルゴムテープ３３を介して下層ゴムパッキン３４と上層ゴムパッキン３５との間に接着積層され、ボルト列３１位置に保持されている。さらに遮水シート１を挟持したゴムパッキン３４，３５は、ボルト列３１に沿って取付孔が形成されたステンレス製フラットバー３６で押圧され、ナット３７によって締着され定着位置に固定保持されている。さらにナット３７には保護キャップ３８が被され、カバーシート４２の破れ防止が図られている。本実施の形態ではシート厚さ１．５mmの遮水シートが使用されているが、その厚さは遮水工として使用される遮水シートの仕様によって適宜設定される。
【００２５】
（カバー部の構成）
以下、カバー部４１の構成について説明する。さらにアンカーボルト定着部３０は、その全体が所定幅でアンカーボルト列３１に平行して長手方向に設けられたカバー部４１のカバーシート４２で完全に被覆されている。カバーシート４２の一方の端部は止水部材１０のベース１１上に固着される。このために止水部材１０は、図３に示したように、止水部材１０が四角形状の取水孔３を囲むように□形状をなしてコンクリートＣ内に図４，図５に示したように、ベース１１表面がコンクリートＣ表面と面一になるように露出し、その他の部分が完全にコンクリートＣ内に埋設されている。この止水部材１０のベース１１にカバーシート４２の一端がＦＰＡ肉盛樹脂４３によって固定保持されている。
【００２６】
カバーシート４２の他端は敷設された遮水シート１面上に、同様のＦＰＡ肉盛樹脂４４で固定保持されている。さらにアンカーボルト定着部３０を覆って山形に膨らんだカバーシート４２内にはシール材４５が充填されている。これにより止水効果が向上するとともに、充填されたシール材４５が柔軟性のあるバックアップ材として機能するため、カバーシート４２の形状が保持され、シート破れ等が防止できる。
【００２７】
このような構成からなる遮水シート定着部止水構造４０では、アンカーボルト定着部３０において遮水シート端部１ａがアンカーボルト列３１によって確実にコンクリート面に固定されるとともに、シール材４５及びカバーシート４２で構成されたカバー部４１でアンカーボルト列３１が完全に被覆されるため、アンカーボルト定着部３０で懸念された漏水も全く心配なくなる。
【００２８】
【発明の効果】
以上に述べたように、止水部材の断面形状に止水フランジを形成するように特徴を持たせて止水性能を高めるとともに、この止水部材の一部に定着されたカバーシートによって遮水シート定着部におけるアンカーボルトを被覆したので、遮水シート定着部での止水性が向上し、耐久性のある遮水シート定着部を実現することができるという効果がある。
【図面の簡単な説明】
【図１】本発明の止水部材の一実施の形態における端面を示した斜視図。
【図２】図１に示した止水部材を用いた止水構造の一例を示した断面図。
【図３】構造物と遮水シートとの取り合い部における止水構造の一実施の形態を、止水構造の一部を切り欠いて示した概略斜視図。
【図４】遮水シート定着部止水構造の一部を断面で示した部分断面斜視図。
【図５】遮水シート定着部止水構造の一部を断面で示した部分断面図。
【図６】従来の遮水シート定着部の一例を示した部分断面図。
【図７】従来の埋設タイプ止水部材の一例を示した斜視図。
【図８】図７に示した止水部材を用いた止水構造の一例を示した断面図。
【符号の説明】
１  遮水シート
３  取水孔
１０  止水部材
１１  ベース
１２  フランジ
１３  突起
１５  止水フランジ
２０  止水棒材
３０  アンカーボルト定着部
３１  アンカーボルト列
４０  遮水シート定着部止水構造
４１  カバー部
４２  カバーシート
４３，４４  肉盛樹脂
４５  シール材
【図１】
0003831246.tif 000002
【図２】
0003831246.tif 000003
【図３】
0003831246.tif 000004
【図４】
0003831246.tif 000005
【図５】
0003831246.tif 000006
【図６】
0003831246.tif 000007
【図７】
0003831246.tif 000008
【図８】
0003831246.tif 000009